(57)【要約】      （修正有）【課題】安全性及び衛生性を確保できて、美観性を備える易裂性包装袋を提供する。【解決手段】易裂性包装袋は、食品を保存するための袋本体１と、袋本体１をシールするためのヒートシールテープ２と、を備え、ヒートシールテープ２には引き裂きやすくするための４本の破線状の切り込みが開設され、この４本の切り込みは縦方向において、０．８５ｍｍのピッチで互い平行するように配列されて、易裂性構造を形成する。切り込みはそれぞれ３つの区画からなり、隣り合う２本の切り込みにおける区画が縦方向において位置をずらすように設けられている。【選択図】図１
0003212644.tif 000002
【実用新案登録請求の範囲】
【請求項１】
食品を保存するための袋本体と、
前記袋本体をシールするためのヒートシールテープと、を備える易裂性包装袋であって、
前記ヒートシールテープには、引き裂きやすくするための切り込みが開設され、前記切り込みの一端が袋本体内側を向き、他端が袋本体外側を向くように構成される、
ことを特徴とする易裂性包装袋。
【請求項２】
前記切り込みは複数本設けられていることを特徴とする請求項１に記載の易裂性包装袋。
【請求項３】
前記複数本の切り込みは、前記袋本体外側から前記袋本体内側に向いて収束状または放射状に設けられることを特徴とする請求項２に記載の易裂性包装袋。
【請求項４】
前記複数本の切り込みは、縦方向において、互いに平行するように配列されていることを特徴とする請求項２に記載の易裂性包装袋。
【請求項５】
前記切り込みは、その長手方向が前記ヒートシールテープの側辺と鋭角又は直角をなすように構成されることを特徴とする請求項１、２又は４に記載の易裂性包装袋。
【請求項６】
前記切り込みは、破線状であることを特徴とする請求項１に記載の易裂性包装袋。
【請求項７】
前記切り込みは、破線状であることを特徴とする請求項２〜４のいずれか一項に記載の易裂性包装袋。
【請求項８】
前記切り込みは、それぞれ複数の区画が間隔をもって配列されることにより形成され、隣り合う２本の前記切り込みにおける前記区画は縦方向において位置をずらすように構成されることを特徴とする請求項７に記載の易裂性包装袋。
【請求項９】
前記切り込みは、破線状であることを特徴とする請求項５に記載の易裂性包装袋。
【請求項１０】
前記切り込みは、それぞれ複数の区画が間隔をもって配列されることにより形成され、隣り合う２本の前記切り込みにおける前記区画は縦方向において位置をずらすように構成されることを特徴とする請求項９に記載の易裂性包装袋。
【考案の詳細な説明】
【技術分野】
【０００１】
本考案は、包装袋の技術分野に関するものであり、具体的に、易裂性包装袋に関するものである。
【背景技術】
【０００２】
消費者が包装製品を使用する場合、すばやく包装袋を引き裂き内容物を取り出すことができるように、従来の包装袋は、袋本体の周縁である袋本体をシールするためのヒートシールテープにＶ字状引き裂き口が設けられている。これによって、包装袋を引き裂き、内容物を取り出すことが便利になる。しかし、このようなＶ字状引き裂き口の使用は、次の問題をもたらす。（ア）消費者に切り傷をつけるリスクがある。具体的には、Ｖ字状引き裂き口の作製により鋭いエッジが形成され、消費者、特に子供及び老人に予想できない切り傷をつける恐れがある。ヒートシールテープの材料が厚くなるほど、刃のように鋭くなる。（イ）切り屑が形成され、衛生の問題を引き起こす。具体的には、上記Ｖ字状引き裂き口は、刃物による切断で形成されたものである。しかし、実際の操作において、刃物で徹底的に切断していないことでＶ字状の切り屑を徹底的に外すことができないという問題がよくある。（ウ）包装袋の完全性及び美観性を損ねる。具体的には、Ｖ字状引き裂き口が実質的にヒートシールテープに設けられる小さい裂け目であるので、包装袋の完全性及び美観性を損ねる。
【考案の概要】
【考案が解決しようとする課題】
【０００３】
本考案は、従来技術における不足に対し、安全性、衛生性、完全性並びに美観性を備える易裂性包装袋を提供することを目的とする。
【課題を解決するための手段】
【０００４】
上記の目的を実現するために、本考案に採用された技術案における易裂性包装袋は、食品を保存するための袋本体と、前記袋本体をシールするためのヒートシールテープと、を備え、前記ヒートシールテープには、引き裂きやすくするための切り込みが開設され、前記切り込みの一端が袋本体内側を向き、他端が袋本体外側を向くように構成される。
【０００５】
ここで、前記切り込みは複数本設けられている。
【０００６】
ここで、前記複数本の切り込みは、袋本体外側から袋本体内側に向いて収束状または放射状に設けられる。
【０００７】
ここで、前記複数本の切り込みは、縦方向において、互い平行するように配列されている。
【０００８】
ここで、前記切り込みは、その長手方向がヒートシールテープの側辺と鋭角又は直角をなすように構成される。
【０００９】
ここで、前記切り込みは、破線状である。
【００１０】
ここで、前記切り込みはそれぞれ複数の区画が間隔をもって配列されることにより形成され、隣り合う２本の前記切り込みにおける前記区画は前記縦方向において位置をずらすように構成される。
【考案の効果】
【００１１】
本考案における易裂性包装袋は、袋本体と、ヒートシールテープと、を備え、前記ヒートシールテープに一端が袋本体内側を向き、他端が袋本体外側を向くように構成され、引き裂きやすくするための切り込みを設けることにより、袋本体の引き裂きを可能とし、内容物を取り出すことが容易になる。従来技術におけるヒートシールテープにＶ字状の鋭い口を設ける技術案と比べ、本考案の易裂性包装袋は、次の利点がある。（ア）安全性を確保できる。ヒートシールテープには切り込みが設けられるものの、鋭い口が形成されていないので、従来技術におけるＶ字状の鋭い口のように消費者に切り傷をつけるリスクがない。（イ）衛生性を確保できる。従来技術におけるＶ字状の鋭い口は、通常、刃物による押圧で形成されたものであり、しかし、実際には、刃物による押圧が徹底ではないことによりＶ字状の鋭い口にあるプラスチックの屑を徹底的に外すことができないという問題がよくあるので、衛生の問題を引き起こす。本考案の易裂性包装袋は、ただ切り込みが形成され、プラスチックの屑が生成しないので、衛生の問題を避けることができる。（ウ）完全性及び美観性を備える。本考案の易裂性包装袋は、Ｖ字状の鋭い口がなく、プラスチックの屑も生成しないので、そのヒートシールテープは従来技術における鋭い口に比べると、完全性及び美観性を備える。
【図面の簡単な説明】
【００１２】
【図１】図１は本考案に係る易裂性包装袋の実施例１の断面模式図である。
【図２】図２は図１におけるＡを拡大して示す図である。
【図３】図３は本考案に係る易裂性包装袋の実施例２の断面模式図である。
【図４】図４は図３におけるＢを拡大して示す図である。
【図５】図５は本考案に係る易裂性包装袋の実施例３の断面模式図である。
【図６】図６は図５におけるＣを拡大して示す図である。
【図７】図７は本考案に係る易裂性包装袋の実施例４の断面模式図である。
【図８】図８は図７におけるＤを拡大して示す図である。
【考案を実施するための形態】
【００１３】
以下の実施例に基づいて本考案をさらに説明する。
【００１４】
実施例１
本考案の易裂性包装袋は、図１及び図２に示すように、食品を保存するための袋本体１と、前記袋本体１をシールするためのヒートシールテープ２と、を備え、前記ヒートシールテープ２には引き裂きやすくするための４本の破線状の切り込み３が開設され、この４本の切り込み３は縦方向において、０．８５ｍｍのピッチで互い平行するように配列されて、易裂性構造４を形成する。切り込み３はそれぞれ３つの区画３１からなり、隣り合う２本の切り込み３における区画３１が縦方向において位置をずらすように設けられている。それぞれの区画３１は、長さ０．８ｍｍ、幅０．１ｍｍの矩形である。もちろん、切り込み３は、３つの区画３１からなるものに限定されるものではなく、４つ、５つ、６つ、７つ、８つ或いは他の数量の区画３１からなることとしてもよい。また、区画３１は、矩形のものに限定されるものではなく、直線状、波形或いは他の形のものとしてもよい。また、切り込み３の数量は、４本に限定されるものではなく、５本、６本、７本、８本或いは他の数量としてもよい。本考案において、切り込み３の数量、それぞれの切り込み３における区画３１の数量、隣り合う２本の切り込み３のピッチ及び区画３１の形と寸法は具体的に限定しないものとする。切り込み３はそれぞれ刃物による圧印で形成されたものであり、この切り込み３にあるプラスチック材を外す必要がない。消費者が袋本体１を引き裂くことができるように、切り込み３は一端が袋本体１内側を向き、他端が袋本体１外側を向くように構成される。具体的には、切り込み３は、その長手方向がヒートシールテープ２の側辺に直交するように構成される。
【００１５】
実施例２
図３及び図４に示すように、本実施例おいて、本実施例における切り込み３は、その長手方向がヒートシールテープ２の側辺と鋭角をなし、且つ、前記切り込み３の袋本体１外側を向く一端が前記切り込み３の袋本体１内側を向く他端よりも上方に位置するように構成されること以外は、実施例１とほぼ同様である。このように、消費者が上から下へ包装袋を引き裂くことが便利となり、且つ、消費者の力の入れ方に合うので、手間を減らす。本実施例において説明されていない特徴については、実施例１を参照することができるので、重複の説明を省略する。
【００１６】
実施例３
図５及び図６に示すように、本実施例おいて、本実施例における４本の切り込み３は、袋本体１外側から袋本体１内側に向いて放射状に設けられていること以外は、実施例１とほぼ同様である。このように、引き裂くことで大きい引き裂き口を形成することができ、包装袋内に収納された内容物を取り出すことが便利となるとともに、消費者が異なる角度から便利に包装袋を引き裂くことができるように、異なる引き裂く方向を提供する。本実施例において説明されていない特徴については、実施例１を参照することができるので、重複の説明を省略する。
【００１７】
実施例４
図７及び図８に示すように、本実施例おいて、本実施例における４本の切り込み３は、袋本体１外側から袋本体１内側に向いて収束状に設けられていること以外は、実施例１とほぼ同様である。このように、消費者が異なる角度から包装袋を引き裂くことができ、一方、より重要なことに、引き裂き口が小さくなるため、粉末状あるいは液状の内容物が収納されている場合、内容物を一度に注出すぎることを防止でき、且つ、空気にさらすと容易に変質する食品の場合、一度に食べ切れず、残ったものを保存しようとする場合、引き裂き口が小さいため、挟みで包装袋をぴったり封止することができる。
【００１８】
最後に説明すべきなのは、以上の実施例は、本考案の好適な技術案を説明するためのものであり、本考案の保護範囲を制限するものではない。なお、好適な実施例を参照して本考案を詳しく説明したが、本考案の実施例に対して様々な変形・均等な置換が可能であり、これらの変形・均等な置換は本考案の実質および保護範囲内にあると見なされるべきである。
【符号の説明】
【００１９】
１ 袋本体
２ ヒートシールテープ
３ 切り込み
３１ 区画
４ 易裂性構造
【図１】
0003212644.tif 000003
【図２】
0003212644.tif 000004
【図３】
0003212644.tif 000005
【図４】
0003212644.tif 000006
【図５】
0003212644.tif 000007
【図６】
0003212644.tif 000008
【図７】
0003212644.tif 000009
【図８】
0003212644.tif 000010